【事件の表示】
　特願２００６−３４９９９１「複数のセクタ対応の送信部を備えた無線基地局及び複数のセクタ用の信号の送信方法」拒絶査定不服審判事件〔平成２０年　７月１０日出願公開、特開２００８−１６０７２０〕について、次のとおり審決する。
【結　論】
　本件審判の請求は、成り立たない。
【理　由】
１．手続の経緯と本願発明
　本願は、平成１８年１２月２６日の出願であって、平成２４年２月１６日に拒絶査定がなされ、これに対し、同年５月１７日に審判請求がなされたものであり、その特許請求の範囲の請求項１に係る発明（以下、「本願発明」という。）は、平成２３年１０月５日付け手続補正書により補正された明細書、特許請求の範囲及び図面の記載からみて、その特許請求の範囲の請求項１に記載された以下のとおりのものと認める。
　
　「【請求項１】
　複数のセクタ対応の送信部を備えた無線基地局において，
　複数のサブキャリアに対応する信号について，サブキャリア単位で前記複数のセクタ用にそれぞれ振り分けるスイッチと，
　該スイッチにより振り分けられた複数のセクタ用の信号に対して，それぞれ逆フーリエ変換処理を施し，前記複数のセクタ対応の送信部の対応する送信部に与える逆フーリエ変換処理部と，
　を備えたことを特徴とする無線基地局。」
　
２．引用発明
　これに対して、原審の拒絶の理由に引用文献２として引用されたAkihito Morimoto, Sadayuki Abeta, and Mamoru Sawahashi，Experiments on Fast Sector Selection with Entire-Bandwidth Assignment in Forward Link for OFCDM Broadband Packet Wireless Access，Personal, Indoor and Mobile Radio Communications, 2004. PIMRC 2004. 15th IEEE International Symposium on, ２００４年９月５日, vol.3, pp.1689 - 1694（以下、「引用例」という。）には、「Experiments on Fast Sector Selection with Entire-Bandwidth Assignment in Forward Link for OFCDM Broadband Packet Wireless Access」(邦訳：「下りリンクＯＦＣＤＭブロードバンドパケット無線アクセスにおける高速セクタ選択の実験」)として図面とともに以下の事項が記載されている。
　
　イ．「To deploy the above-mentioned broadband packet wireless access scheme into a cellular system or hotspot area, handover control between the cells (sectors) including the boundary between the cellular and hotspot areas such as in an indoor-office-to-outdoor-cellular environment and the overlay cell configuration is very important. This physical layer operation for handover is called inter-cell (sector) diversity. In HSDPA, fast sector selection (FSS) based on the site selection diversity transmission power control (SSDT) [6] was discussed in order to improve the throughput for users located near the cell or sector boundary by utilizing the macro-diversity effect. In FSS, the mobile station (MS) selects instantaneously only the one sector having the highest received signal level (or signal-to-interference power ratio (SIR)) among the active sets, which correspond to the soft handover candidate sectors. It is anticipated that by employing FSS, the received quality of the users located within the handover region can be improved.
In the paper, we focus on the effect of FSS for broadband OFCDM with a 100-MHz bandwidth. In OFCDM with such a broadband channel, channel variation of each sub-carrier is differentiated based on the degree of frequency-selective (multipath) fading. Thus, we present two types of FSS for broadband OFCDM: FSS with entire-bandwidth assignment and FSS with independent frequency-block assignment. In the first method, FSS is performed simultaneously for the entire bandwidth. In the second approach, the full bandwidth is segmented into multiple frequency blocks. Each frequency-block is transmitted from the best sector with the lowest transmission power. From the viewpoint of the received quality or system capacity increase, FSS with independent frequency-block assignment is superior to that with entire-bandwidth assignment since each frequency block is transmitted from the sector providing the best channel conditions. In contrast, in FSS with independent frequency-block assignment, the number of control signaling bits conveyed in the reverse link is increased compared to that in FSS with entire-bandwidth assignment.」（1689頁左欄４３行−右欄２２行）
　
（邦訳）
「セルラーシステムまたはホットスポット領域内に上記ブロードバンドパケット無線アクセス方式を配備するためには、屋内・オフィスと屋外セルラ環境のようなセルラとホットスポット領域との境界を含んだセル（セクタ）間のハンドオーバ制御とオーバーレイセル構成が非常に重要である。このハンドオーバーのための物理層動作はセル間（セクタ）ダイバーシチと呼ばれている。 ＨＳＤＰＡにおいて、サイト選択ダイバーシチ送信電力制御（ＳＳＤＴ）[６]に基づく高速セクタ選択（ＦＳＳ）が、マクロダイバーシチ効果の利用によりセルまたはセクタ境界付近に位置するユーザーのスループットを向上させることについて議論された。ＦＳＳにおいて、移動局（ＭＳ）は、ソフトハンドオーバの候補セクタからなるアクティブセットの中で最高の受信信号レベル（または信号対干渉電力比（ＳＩＲ））を有するただ一つのセクタを瞬時に選択する。ＦＳＳの採用によって、ハンドオーバー領域内に位置するユーザの受信品質を向上させることができると予想される。
　本稿では、１００ＭＨｚの帯域幅を持つブロードバンドＯＦＣＤＭにおけるＦＳＳの効果に焦点を当てる。このようなブロードバンドチャネルを有するＯＦＣＤＭにおいて、各サブキャリアのチャネル変動は、周波数選択性（マルチパス）フェージングの程度に基づいて区別される。そのため、我々は、全帯域幅割当てを行うＦＳＳと独立した周波数ブロック割当てを行うＦＳＳという２種類のブロードバンドＯＦＣＤＭを提示する。最初の方法では、ＦＳＳは帯域幅全体に亘って同時に実行される。第２のアプローチでは、全帯域幅が複数の周波数ブロックに分割される。各周波数ブロックは、最良のセクタから最も低い送信電力により送信される。独立した周波数ブロック割当てを行うＦＳＳは、各周波数ブロックが最良のチャネル状態を供給するセクタから送信されることになるので、受信品質やシステム容量の増加の観点から、全帯域幅割当てを行うＦＳＳよりも優れている。対照的に、独立した周波数ブロック割当てを行うＦＳＳでは、逆方向リンクで搬送される制御信号ビットの数が、全帯域幅割当てを行うＦＳＳより増加することになる。」
　
　ロ．「II. FAST SECTOR SELECTION
　IN MULTI-CARRIER BASED ACCESS
A. Operational Principle of FSS
The operational principle of FSS is illustrated in Fig. 1. The MS located at the cell boundary measures the instantaneous signal level over the FSS control interval of the pilot channel from the sectors within an active set. These sectors within an active set are selected based on a criterion such that sectors have a higher average received signal level value than the pre-determined threshold. The target user selects the appropriate sector with the maximum received signal level value and informs the sectors within an active set through the uplink control channel that the target sector should transmit the data. Therefore, by utilizing the macro-diversity effect through transmission in the data channel from the most appropriate sector with the best received signal level to the target user, we anticipate an improvement in throughput.」（1689頁右欄３６行−５２行）
　
（邦訳）
「II．マルチキャリアベースのアクセスにおける高速セクタ選択
Ａ．ＦＳＳの動作原理
ＦＳＳの動作原理を図１に示す。セル境界に位置するＭＳは、アクティブセット内のセクタからのパイロットチャネルにおけるＦＳＳ制御インターバルにおいて瞬間的な信号レベルを測定する。アクティブセット内のこれらのセクタは、予め決定された閾値よりも高い平均受信信号レベルの値を持つセクタであるという基準に基づいて選択される。対象となるユーザーは、最大受信信号レベル値を持つ最適なセクタを選択し、アクティブセット内においてデータを送信すべき対象のセクタを、上りリンク制御チャネルを介して通知する。したがって、対象となるユーザーに対して最大受信信号レベルをもたらす最も最適なセクタからのデータチャネルにおける伝送のマクロダイバーシチ効果の利用によって、我々は、スループットの向上を見込める。」
　
　ハ．「B. Proposed FSS in Multi-carrier Access
Figure 2 illustrates simplified operation of the FSS for multicarrier access. Figures 2(a) and 2(b) show the operation of FSS with entire-bandwidth assignment and FSS with independent frequency-block assignment, respectively. The MS measures the received signal level (or SIR) of each packet frame at each sub-carrier. In FSS with entire-bandwidth assignment, the received signal level of each packet is averaged over all subcarriers in squared form. In FSS with independent frequencyblock assignment, the received signal level of each block is obtained by averaging the received signal levels of the subcarriers belonging to the block. Then, the MS selects the optimum sector providing the highest received signal level among the candidates and reports the selected sector to the base station (BS). The BS transmits the packet data channel from the sector based on the decoded sector information. In FSS with independent frequency-block assignment, precise assignment of each frequency block to the optimum sector is possible at the sacrifice of increasing the number of signaling bits according to the increase in the number of frequency blocks.」（1689頁右欄５３行−1690頁左欄１７行）
　
（邦訳）
「Ｂ．マルチキャリアアクセスにおけるＦＳＳの提案
図２はマルチアクセスのためのＦＳＳの簡略化された動作を示している。図２(a)および２（b）は、全帯域幅割当てを行うＦＳＳと、独立した周波数ブロック割当てを行うＦＳＳの動作をそれぞれ示す。ＭＳは、各サブキャリアにおける各パケットフレームの受信信号レベル（またはＳＩＲ）を測定する。全帯域幅割り当てを行うＦＳＳでは、各パケットの受信信号レベルは四角い領域のすべてのサブキャリアに亘って平均化される。独立した周波数ブロック割当てを行うＦＳＳでは、各ブロックの受信信号レベルはブロックに属するサブキャリアの受信信号レベルを平均することによって得られる。その後、ＭＳは候補の中で最高の受信信号レベルを提供する最適なセクタを選択し、基地局（ＢＳ）に選択されたセクタを報告する。ＢＳは、復号化されたセクタ情報に基づいたセクタからのパケットデータチャネルで送信する。独立した周波数ブロック割当を行うＦＳＳにおいて、最適なセクタに対する各周波数ブロックの正確な割り当ては、周波数ブロック数の増加に応じてシグナリングビットの数が増加してしまうことを犠牲に可能である。」
　
　ニ．「III. CONFIGURATION OF OFDM TRANSCEIVER
The configuration of the implemented OFCDM transceiver, and the major radio link parameters are given in Fig. 5 and Table 1, respectively. Figures 5(a) and 5(b) show the BS transmitter and the MS receiver, respectively. In the BS transmitter, the BS determines the transmitted sector according to the sector selection bit from the MS. Then, the information bits are turbo encoded using the coding rate of R = 1/2 with the constraint length of four bits. After data modulation mapping, the symbol interleaving in the frequency domain over 768 sub-carriers is performed to randomize the burst errors due to frequency selective fading. The coded data sequence after interleaving is spread by the spreading factor combination of SFTime x SFFreq= 16 x 1 (i.e., only time-domain spreading is employed in the evaluation) and then, Cmux = 15 code channels are multiplexed. In addition, the control channel, which is spread with SFTime x SFFreq=1 6 x 8, is code-multiplexed into the packet data channel. The control channel is used to convey the sequence number of the radio packet frame for the packet data channel. Furthermore, the pilot symbols used for channel estimation and signal-to-noise power ratio (SNR) measurement are timemultiplexed within a packet frame. After conversion into baseband in-phase (I) and quadrature (Q) components by digital-to-analog (D/A) converters, quadrature-modulation is performed. Finally, the IF modulated signal is up-converted into the RF signal and amplified by the power amplifier where the center carrier frequency is 4.635 GHz. The sector, which is not requierd to transmit packets based on the selection bit, transmits only the pilot channel.」（1691頁左欄１９行−右欄６行）
　
（邦訳）
「III．ＯＦＣＤＭ無線機の構成
　実装されたＯＦＣＤＭ無線機の構成および実験系主要諸元を図５及び表１にそれぞれ示す。図５(a)及び５(b)にはＢＳ送信機及びＭＳ受信機がそれぞれ示される。ＢＳ送信機において、ＢＳはＭＳからのセクタ選択ビットによって送信セクタを決定する。その後、情報ビットは４ビットの拘束長、符号化率Ｒ＝１／２でターボ符号化される。データ変調マッピング後において、周波数領域における７６８サブキャリアに亘ったシンボルのインターリーブが周波数選択性フェージングによるバーストエラーをランダム化するために行われる。インターリーブ後の符号化データシーケンスは、SFTime x SFFreq= 16 X 1（すなわち、
時間領域の拡散は評価のために用いられるのみである）の拡散因子の組合せで拡散され、その後、Cmux=15の符号チャネルは多重化される。加えてSFTime x SFFreq=1 6 x 8で拡散された制御チャネルがパケットデータチャネル内に符号多重される。制御チャネルは、パケットデータチャネルにおける無線パケットフレームのシーケンス数を通知するために用いられる。さらに、チャネル推定と信号対雑音パワー比（ＳＮＲ）測定のために用いられるパイロットシンボルがパケットフレーム内に時間多重される。デジタルアナログ（Ｄ／Ａ）変換によってベースバンドの同相（Ｉ）及び直交（Ｑ）成分に変換した後、直交変調が行われる。最後に、ＩＦ変調信号は中心キャリア周波数が4.635GHzのＲＦ信号にアップコンバートされ、電力増幅器により増幅される。選択ビットによって送信パケットを要求されなかったセクタは、パイロットチャネルのみを送信する。」
　
　上記イ．〜ニ．の記載及び図面並びにこの分野における技術常識を考慮すると、
　上記引用例には、ＯＦＣＤＭブロードバンドパケット無線アクセスにおける基地局（ＢＳ）に関して記載があり、前記基地局（ＢＳ）は、上記イ．及び図１に記載されるようにセクタ境界付近に位置する移動局（ＭＳ）と通信を行うようにされている。
　
　上記ニ．及び図５には基地局（ＢＳ）の構成について記載があり、特に図５の記載によれば、入力データ（Input data）は、ターボ符号化器（Turbo encoder），データ変調器（Data modulator），インターリーバ（Interleaver），直並列変換器（Ｓ／Ｐ），拡散器（Spreader）を経て符号多重化され、マルチプレクサ（MUX）に入力されている。
　そして、前記マルチプレクサの出力は、図５に図示されるスイッチがセクタ選択ビット（Sector selection bit）で制御されることにより、後段のセクタ＃０用の回路またはセクタ＃１用の回路に選択的に出力されるようになっている。
　セクタ＃０用の回路とセクタ＃１用の回路は同じ構成であり、それぞれの回路は、マルチプレクサ（MUX），ＩＦＦＴ，ＧＩ挿入器（GI insertion）からなる実線で囲まれた装置ブロック（以下、『第１の装置ブロック』という。）と、デジタル−アナログ変換器（D/A），直交変調器（quadrature modulation），送信増幅器(TX. amplifier)等からなる実線で囲まれた装置ブロック（以下『第２の装置ブロック』という。）により構成され、前記第１の装置ブロックと第２の装置ブロックは直列に接続されている。
　そして、図５のスイッチの切換を制御する前記セクタ選択ビットは、上記イ．ないしハ．及び図２（ｂ）に記載されているように、独立した周波数ブロック割当てを行うＦＳＳ（Fast Sector Selection：高速セクタ選択）に基づき発生されている。
　ここで、独立した周波数ブロック割当てを行うＦＳＳでは、全帯域を複数の周波数ブロックに分割し、各周波数ブロック毎に、セクタ＃０から送信され移動局（ＭＳ）で受信される当該周波数ブロックに属する複数のサブキャリアの受信信号レベルの平均と、セクタ＃１から送信され移動局（ＭＳ）で受信される当該周波数ブロックに属する複数のサブキャリアの受信信号レベルの平均から、最高の受信信号レベルを提供する最適なセクタ（セクタ＃０またはセクタ＃１）を選択し、選択した最適なセクタから当該周波数ブロックが送信されるようにセクタ選択ビットを発生している。
　
　すなわち、前記セクタ選択ビットにより制御される図５のスイッチは、周波数ブロック単位に、スイッチに入力される信号（入力データをターボ符号化器，データ変調器，インターリーバ，直並列変換器，拡散器により符号多重化した信号）を、後段のセクタ＃０用回路（セクタ＃０用の第１の装置ブロック及び第２の装置ブロックの直列回路）、あるいは、セクタ＃１用回路（セクタ＃１用の第１の装置ブロック及び第２の装置ブロックの直列回路）に選択的に振り分けている。
　
　したがって、上記引用例には以下の発明（以下、「引用発明」という。）が開示されている。
　
（引用発明）
　「セクタ＃０及びセクタ＃１対応のデジタル−アナログ変換器、直交変調器、送信増幅器等からなる第２の装置ブロックを備えた基地局において、
　スイッチに入力される信号について、周波数ブロック単位で前記セクタ＃０用及びセクタ＃１用にそれぞれ振り分けるスイッチと、
　該スイッチにより振り分けられたセクタ＃０用及びセクタ＃１用の信号に対して、それぞれＩＦＦＴ処理を施し，前記セクタ＃０用の第２の装置ブロックあるいは前記セクタ＃１用の第２の装置ブロックに与えるＩＦＦＴを含む第１の装置ブロックと，
　を備えた基地局。」
　
３．対比
　本願発明と引用発明とを対比すると、
　引用発明の「セクタ＃０及びセクタ＃１」は、２個（複数）のセクタであるから本願発明の「複数のセクタ」に相当する。
　引用発明の「デジタル−アナログ変換器、直交変調器、送信増幅器等からなる第２の装置ブロック」は、送信のための装置により構成されており、本願発明の「送信部」に相当する。
　引用発明の「基地局」は、ＯＦＣＤＭブロードバンドパケット無線アクセスにおける基地局であるから、無線による送信を行う基地局であり、本願発明の「無線基地局」に相当する。
　引用発明の「スイッチに入力される信号」は、周波数ブロック単位でスイッチによりセクタ＃０あるいはセクタ＃１に振り分けられるが、周波数ブロックは複数のサブキャリアから構成されているから、スイッチに入力される信号は、周波数ブロックを構成する複数のサブキャリアに対応する信号であり、本願発明の「複数のサブキャリアに対応する信号」に相当する。
　「複数のセクタ用にそれぞれ振り分けるスイッチ」に関し、引用発明では、スイッチが信号を「周波数ブロック単位」で振り分けているのに対し、本願発明では、スイッチが信号を「サブキャリア単位」で振り分けている点で相違するものの、両発明はスイッチが信号を「特定の単位」で振り分けている点で共通する。
　引用発明の「ＩＦＦＴ」は、ＯＦＤＭ技術をベースとしたＯＦＣＤＭブロードバンドパケット無線アクセスにおいて用いられているものであり、技術常識から逆高速フーリエ変換（
Ｉ
Ｆ
Ｆ
Ｔ
　引用発明の「第１の装置ブロック」は「ＩＦＦＴ」を含むものであるから、本願発明の「逆フーリエ変換部」に相当する
。
　
　したがって、本願発明と引用発明は、以下の点で一致ないし相違している。
　
（一致点）
　「複数のセクタ対応の送信部を備えた無線基地局において，
　複数のサブキャリアに対応する信号について，特定の単位で前記複数のセクタ用にそれぞれ振り分けるスイッチと，
　該スイッチにより振り分けられた複数のセクタ用の信号に対して，それぞれ逆フーリエ変換処理を施し，前記複数のセクタ対応の送信部の対応する送信部に与える逆フーリエ変換処理部と，
　を備えた無線基地局。」
　
（相違点）
　「複数のセクタ用にそれぞれ振り分けるスイッチ」で「複数のサブキャリアに対応する信号」を「特定の単位」で振り分けるにあたり、本願発明では、「サブキャリア単位」で振り分けているのに対し、引用発明では「周波数ブロック単位」で振り分けている点
　
４．当審の判断
　上記相違点について検討する。
　引用発明の「周波数ブロック」は全帯域のサブキャリアを複数に分割したものであり、所定の数のサブキャリアから成っている。ここで、引用例の摘記事項ハ．には「独立した周波数ブロック割当を行うＦＳＳにおいて、最適なセクタに対する各周波数ブロックの正確な割り当ては、周波数ブロック数の増加に応じてシグナリングビットの数が増加してしまうことを犠牲に可能である。」と記載されており、正確な割当てを行うために、周波数ブロックを所望の数に増加させ、１つの周波数ブロックに含まれるサブキャリア数を変えることは当業者が容易に想到するものである。
　さらに、原審の拒絶査定において引用された特開２００６−１９１５３３号公報（特に、段落【０００１】、【００８１】、【０１１０】の記載参照）に記載されるように、セクタ間のハンドオーバに際し、サブキャリア毎に受信品質が良好なセクタを選択する技術は周知である。
　したがって、この周知技術を引用発明に適用して、より正確な割当てを行うべく、「複数のセクタ用にそれぞれ振り分けるスイッチ」で「複数のサブキャリアに対応する信号」を「周波数ブロック」単位に振り分けることに替えて、「サブキャリア単位」で振り分けるようにすることは当業者が適宜為し得ることである。
　
  なお、引用例の摘記事項イ．には「独立した周波数ブロック割当てを行うＦＳＳは、各周波数ブロックが最良のチャネル状態を供給するセクタから送信されることになるので、受信品質やシステム容量の増加の観点から、全帯域幅割当てを行うＦＳＳよりも優れている。対照的に、独立した周波数ブロック割当てを行うＦＳＳでは、逆方向リンクで搬送される制御信号ビットの数が、全帯域幅割当てを行うＦＳＳより増加することになる。」と記載されている。このように、そもそも、「独立した周波数ブロック割当てを行うＦＳＳ」自体が「全帯域幅割当てを行うＦＳＳ」よりも優れているが、「制御信号ビット」が増加するとされており、その上で、引用例では「独立した周波数ブロック割当てを行うＦＳＳ」について言及している。そして、摘記事項ハ．において、その「独立した周波数ブロック割当てを行うＦＳＳ」において、さらに、「周波数ブロックの増加」によって、「シグナリングビット」（制御信号ビット）が増加するが、「正確」に割り当てることができると記載されている。
　このことから、制御ビットの増加は、正確な割当てを行うように周波数ブロック数を増加させるにあたり考慮すべき事項ではあるものの、制御ビットの増加が周波数ブロック数を増加させることの阻害要因とはなっていない。
　
　このように相違点は格別なものでなく、そして、本願発明の作用効果は、引用発明および周知技術から当業者が予測し得る範囲のものである。
　
５．むすび
　以上のとおり、本願発明は、上記引用発明及び周知技術に基いて当業者が容易に発明をすることができたものであるから、特許法第２９条第２項の規定により特許を受けることができない。
　
　よって、結論のとおり審決する。